(57)【要約】      （修正有）【課題】爪を切断するときに爪の切片が飛び散らず、爪に歪みを与えず、切断音を出さず、刃が指の肉を挟む恐れがなく、目の届かない足の爪を切るときや自分の皮膚感覚を利用できない乳幼児や寝たきり老人等の爪を、介護者などが切るときに緊張を強いられず、飛散防止ケースの中の爪の切片が落ちにくい、爪切りを提供する。【解決手段】上下二枚刃の一方または両方の刃先の形状を上下方向で凹型に形成し、向い合う上刃２と下刃４の刃先が左右二カ所の交差部で刃先を密着させながら、爪の先端を左右二カ所から切断するように形成した。【選択図】図０３
2016112379.tif 000002
【特許請求の範囲】
【請求項１】
上板１と下板３が端部で全体が重なるように接合され、もう一方の前記上板の端部に立つ上刃２と前記下板の端部に立つ下刃４の向い合う刃先が擦り合いながら爪を切る爪切りで、刃先が上下方向に凹型になった刃のある爪切り。
【請求項２】
前記上刃と前記下刃の両端部が重なって、前記上刃と前記下刃の刃先の間にアナ９をつくる、請求項１に記載の爪切り。
【請求項３】
前記上刃と前記下刃の刃先の両端に刃先よりも先に出る横板５を設けて刃の幅を限定する、請求項１に記載の爪切り。
【請求項４】
擦り合う前記上刃と前記下刃の二枚刃の後側の刃の前記横板の伸びた先端部が、二枚刃の前側の刃が立つ板（前記上刃が前のものは前記上板、前記下刃が前のものは前記下板）の内側に当たり、爪切りが閉じるときのストッパー１２となる、請求項１に記載の爪切り。
【請求項５】
上刃２の刃先が凹型で下刃４の刃先が直線の、請求項１に記載の爪切り。
【請求項６】
上刃２と下刃４の両方の刃先が凹型の、請求項１に記載の爪切り。
【請求項７】
角板１９の突き出た端部２５を下に押して、嵌っていた丸穴１０から突起２０を外し、前記角板を引いて飛散防止ケース１６を爪切りからスライドさせ、二枚刃と前記飛散防止ケースの間に爪切片を排除できる隙間を作り、前記飛散防止ケースを押して前記突起を前記丸穴に嵌めると、爪切りから外れなくなる前記飛散防止ケースを備えた、請求項１に記載の爪切り。
【発明の詳細な説明】
【技術分野】
【０００１】  本発明は、擦り合って爪を切る二枚刃と梃子からなる爪切りに関する。
【背景技術】
【０００２】  向い合う二枚の刃のある爪切りの切断方法が、上下から鋭い刃先を爪に押圧して喰い込ませ、両刃の刃先が衝突して、切ろうとする爪の幅全体を一度に切断する方法を用いている。
【先行技術文献】
【特許文献】
【０００３】
【特許文献１】特開２０１３−０６３２７４
【特許文献２】実開２０１３−１０８８０２
【発明の概要】
【発明が解決しようとする課題】
【０００４】  爪切り本体を包むケースを爪切片の飛散防止のために用いているが、スキマを作って離れていた二枚刃の平行な刃先が、上下から爪を押圧して喰い込み、爪の幅全体を一度に切断するので、切片が勢いよく二枚板の間にできたスペースに飛び込み中軸に当たったものは跳ね返り、切断が終わると瞬時に開いてできた二枚刃のスキマから爪の切片が外に飛び散っている。【０００５】  爪を押圧して爪に歪みを与えている状態で、爪の切断音を聞かせるので、乳幼児などに恐怖感を与えている。【０００６】  切断する度に二枚刃の刃先が突き当たるので、切れ味が悪くなる。【０００７】  上下の刃先が両端まで開いていて、寝たきり老人や乳幼児などの爪を、自分の皮膚感覚を利用できない介護者等が切る場合は、二枚刃の両端の刃先の角で近くの皮膚を挟みそうで、注意して切らなければならない。【０００８】  切ろうとする爪の位置に爪切りを止める方法が、爪の下側に下刃の刃先をあてがう方法しかないので、深爪になりやすい。【０００９】  二枚刃が上下から押圧して爪を切断する方法では、爪に刃先を直角に当てないと爪が切れないので、爪切り全体を爪の伸びる方向に正確に持っていかないと爪が切れない。そのため、足の爪を切るときは爪切りを爪にどうあてがうかが爪を切るときの課題になっている。【００１０】  二枚刃のスキマから爪の切片を出すので、出しにくいし、飛び散って飛散防止ケースの奥の方に入っている爪切片を、すべて出したのかどうか確認できない。
【課題を解決するための手段】
【００１１】爪への押圧をなくし、且つ爪切片を飛散させないために、上下二枚刃の一方または両方の刃先の形状を上下方向で凹型に形成し、鋏と同じように向い合う上刃と下刃の刃先が、左右二か所の交差部で刃先を密着させ擦り合いながら、爪の先端を左右両側から切断するよう形成した。【００１２】  上下二枚刃の刃先を両端部で無くすために、上下二枚刃の両端を板状（以下、横板と記載）にして、刃先よりも前に伸ばした。【００１３】  爪切りの刃先を、切ろうとする爪の先端で止めるために、上下二枚刃の両端が重なることで、上下二枚刃の間にアナを作り、横板や上刃と下刃の交差部に切ろうとする爪の端の先端を当てられるように形成した。【００１４】  必要以上に板を曲げないために、二枚刃の後側にある刃の両端部の横板を伸ばし、前側に刃がある板の内側に当たるように形成し、閉じる二枚刃のストッパーにした。【００１５】  爪切片を取り出しやすくし、且つすべての爪切片を取り出すために、底板と左右の側板からなる飛散防止ケースを爪切り本体の形状に合わせて包むように形成し、底板と繋がる角板を設け、角板に丸穴に嵌る突起を取り付け、角板の突き出た端部を下に押すと突起が丸穴から外れ、引くと飛散防止ケースが爪切りからスライド出来るように形成した。
【発明の効果】
【００１６】  上下になって向い合う二枚刃が擦り合って爪を切るので、爪を押圧し歪ませて指先に違和感を与えることもないし、切断音を出さないので、乳幼児に恐怖感を与えない。【００１７】  爪の先端を両側から上下の刃で挟みながら徐々に切っていくので、切断された爪が飛び散らない。【００１８】  爪切片の飛散防止ケースの引手になる角板を摘まんで下側に押して、突起を丸穴から外し、角板を引いて飛散防止ケースを後にスライドさせれば、二枚刃との間に隙間ができて、爪切片を簡単に出すことが出来る。また、飛散防止ケースを前に押して突起を丸穴に嵌めれば、爪切りからズレないようになる。【００１９】  切られた爪の切片が飛び散らないので、上板と下板の接合部の隙間や中軸と貫通穴との隙間に爪切片が挟まれないし、爪の切片は飛散防止ケースの中の二枚刃の近くに溜まるので、飛散防止ケースと爪切りの隙間から排出しやすい。【００２０】  切ろうとする爪の先端を二枚刃の間にできたアナに入れて切るので、目が届かない寝たきり老人や乳幼児の爪を切るときは、爪の先がアナに入っていることを確認すれば、爪切りの刃が肉を挟むこともないので、安心して爪を切ることが出来る。【００２１】  爪の下側に爪切りの下刃の刃先をあてがって、爪切りの位置を決めるのではなく、横板の角に切るろうとする爪の端を当てて爪を切るので、伸ばしている爪も望み通りの形に爪を切ることができる。また、横板が上下の刃の間に見えない爪切りの場合は、上刃と下刃の交差部分に切ろうとする爪の端を当てて切ることもできる。【００２２】  爪の表面に刃先を上下から喰い込ませるのではなく、爪の先端を両側から上下の刃先を擦り合わせて切るため、爪に当てる刃の角度を直角から僅かにずらしても切れるので、その分だけ爪切り本体の爪に向ける角度が自由になり扱いやすくなる。【００２３】  梃子を押して上刃と下刃の離れを縮めて幅を小さくしたアナに、爪の先をあてがって爪を両側から切れば、乳幼児などの小さな爪も切れるし、切ろうとする爪の幅を狭くして、爪の先端の形を整えながら切ることもできる。【００２４】  爪切りの扱いやすさやを考慮して、上板と下板の幅を変えずに、横板の幅を広くすれば、アナの幅の狭い乳幼児用の爪切りが製造できる。【００２５】  アナの幅を狭くして、爪を切る回数を増やしても、二枚刃の擦り合わせで爪を切るので、力を入れずに簡単に切れ、硬く厚い爪でも容易に切れるし、切る回数が多くても、面倒にならない。【００２６】  上刃と同じように下刃の刃先も凹型にすれば、猫などのペットの先端がカーブした爪に合わせて、爪切りの向きを変えて使えば容易に切れる。【００２７】  二枚刃の前側にある下刃の横板の幅を狭くし上刃の凹み高さを低くし下刃の擦り合い面の幅を狭くした爪切りは、爪の端の肉が盛り上がっている足の親指等に、爪切りのアナの端の二枚刃の交差部または横板に、肉が盛り上がってない部分の爪の先端を合わせたまま、爪切りを肉の盛り上がっている部分にスライドさせると、肉が盛り上がっている部分の爪の下側に爪切りの下刃が入るので、皮膚に喰い込んでいる爪を切ることが出来る。【００２８】  二枚刃で作るアナが小さいので、飛散防止ケースの中の爪切片が外に落ちにくい。
【図面の簡単な説明】
【００２９】
【図０１】上刃が前側にある爪切り上面図
【図０２】上刃が前側にある爪切り断面図
【図０３】下刃が前側にある爪切り断面図
【図０４】上刃が前側でアキが半月型の二枚刃の正面図
【図０５】上刃が前側でアキが山型の二枚刃の正面図
【図０６】下刃が前側でアキが半月型の二枚刃の正面図
【図０７】下刃が前側でアキが山型の二枚刃の正面図
【図０８】上下の刃先が凹型の二枚刃の正面図
【図０９】横板が見えない二枚刃の正面図
【図１０】梃子立ち上がり爪切り断面図
【図１１】梃子が押された爪切り断面図
【図１２】押されて曲がった角板の断面図
【発明を実施するための形態】
【００３０】  以下、本発明の実施の形態を図１〜図１２に基づいて説明する。
【実施例】
【００３１】  本発明の爪切りは、端部に立つ上刃２のある上板１と同じく端部に立つ下刃４のある下板３がもう一方の端部で接合されて一体となった爪切り部分と中軸１１と梃子１４と飛散防止ケース１６の主要部分から構成されている。【００３４】  刃のない方の上板１の端部と同じく刃のない方の下板３の端部を、重ね合わせて接合させ、刃の立つ端部側では上刃２と下刃４の向い合う刃先が擦り合えるように、上板１と下板３は一体に形成されている。上板１と下板３の刃の立つ端部側には、両刃から幾らか離れて、板幅の中心で上下の板の同じ位置に梃子１４とピン１３で繋がる中軸１１のための貫通穴７を設けている。【００３５】  擦り合う上刃２と下刃４の二枚刃の後側にある刃の両端部の横板５を、前側に刃のある板の内側に当たるように伸ばし、先端部の形状も板の内側の形状に均等に当たるように形成して、ストッパー１２とした。【００３６】  刃先の凹型は爪の先端を両側から切るための、二枚刃の刃先の擦り合い角度を鋭角にする形状なので、凹型は半月形状にしても良いし山型形状にしても良い。【００３７】  下刃４の刃先を直線にした爪切りの横板５の形状を説明する。上刃２が下刃４の前側にある爪切りでは、上刃２の両端を下刃４の横板５と同じ幅で下に突き出た半月形にし、下刃４の両端部にある横板５が上に伸びてストッパー１２に形成されている（図０２、０４、０５、１０、１１）。下刃４が上刃２の前側にある爪切りでは、下刃４の両端を上刃２の横板５と同じ幅で上に突き出た半月形にし、上刃２の両端部にある横板５が下に伸びてストッパー１２に形成されている（図０３、０６、０７）。開いている二枚刃のアナ９の両脇に横板５が見えないものも、上記記載と同じ半月形の横板５とストッパー１２になる横板５を設けている（図０９）。上刃２と下刃４の両方の刃先を凹型にしたものの横板５も、前記記載と同じ仕様にしている（図０８）。【００３８】  刃先を直線にした刃の擦り合い面６は、凹型の刃の凹み高さより広い幅に形成されている。刃先を凹型にした刃の擦り合い面６は、凹型の頂上から僅かに幅を取るように形成されている。両方の刃先を凹型にした爪切りの擦り合い面６の高さは、上刃２と下刃４の二つの凹型の頂上が擦り合って、両方の刃先の間に隙間を無くすよりも広い幅に形成されている。上刃２と下刃４のどちらが前になっても、刃先が擦り合い面６から突き出ず、刃先が指を傷つけないように形成されている。【００３９】  中軸１１は丸柱状の軸と頭８からなり、頭８のない方の端部にピン１３用の貫通孔を設けている。【００４０】  梃子１４はピン１３用の孔と突き出た梃子の支点と板状の端部を曲げて押しやすくした押圧部１７を設けている。【００４１】  爪切片の飛散防止ケース１６は、引手になる角板１９の端部を摘まんで下に押した状態で後ろに引くと突起２０が丸穴１０から外れ、飛散防止ケース１６を爪切り本体から後に引くことができるように形成されている。角板１９と底板１８を繋げる立ち上がりの板２４と左右の側板１７とはスリット２２を設け接合していないので、角板１９が曲がるようになっている。突起２０は中央部を丸く盛り上げ、上板の表面に当たっても滑りやすくなるようにし、丸穴に嵌る円形の段差２３を設け、角板１９を曲げなければ飛散防止ケース１６がスライドできないようになっている。左右の側板１７の上端部にガイド２１が設けられ、爪切りを挿入するガイドとなり、ケースの上下のズレ防止をするように形成されている。
【符号の説明】
【００４０】    １    上板
２    上刃
３    下板
４    下刃
５    横板
６    刃の擦り合い面
７    貫通穴
８    頭
９    アナ
１０  丸穴
１１  中軸
１２  ストッパー
１３  ピン
１４  梃子
１５  押圧部
１６  飛散防止ケース
１７  側板
１８  底板
１９  角板
２０  突起
２１  ガイド
２２  スリット
２３  段差
２４  立ち上がり板
２５  端部
【図０１】
2016112379.tif 000003
【図０２】
2016112379.tif 000004
【図０３】
2016112379.tif 000005
【図０４】
2016112379.tif 000006
【図０５】
2016112379.tif 000007
【図０６】
2016112379.tif 000008
【図０７】
2016112379.tif 000009
【図０８】
2016112379.tif 000010
【図０９】
2016112379.tif 000011
【図１０】
2016112379.tif 000012
【図１１】
2016112379.tif 000013
【図１２】
2016112379.tif 000014